【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
表示画面への操作を検知する検知手段と、
第１の表示アイテムと、所定のアイテムとを、前記表示画面に表示するように制御する表示制御手段と、
第１の状態における前記表示画面への操作に応じて、前記第１の状態から前記第１の表示アイテムの表示位置を変更するための第２の状態に遷移するように制御する制御手段と、を有し、
前記表示制御手段は、前記第１の状態から前記第２の状態に遷移したときには、前記第１の表示アイテムの表示位置に関わらず前記所定のアイテムを表示するように制御し、前記第２の状態において前記第１の表示アイテムの表示位置を変更するための操作があった場合には、前記変更された前記第１の表示アイテムの表示位置に応じた位置に、前記所定のアイテムを表示するように制御することを特徴とする電子機器。
【請求項２】
前記表示制御手段は、前記第１の状態から前記第２の状態に遷移したときに、前記第１の表示アイテムの表示位置に関わらず、前記第２の状態に遷移する前に前記所定のアイテムが表示されていた位置に、前記所定のアイテムを表示するように制御することを特徴とする請求項１に記載の電子機器。
【請求項３】
前記表示制御手段は、前記第１の表示アイテムが前記表示画面の下部に表示されているときに前記第１の表示アイテムの表示位置が前記表示画面の下部である第１の領域に変更された場合には、前記所定のアイテムが前記表示画面の上部に表示されるように表示位置を変更し、前記第１の表示アイテムが前記表示画面の上部に表示されているときに前記第１の表示アイテムの表示位置が前記表示画面の上部である第２の領域に変更された場合には、前記所定のアイテムが前記表示画面の下部に表示されるように表示位置を変更するように制御することを特徴とする請求項１または２に記載の電子機器。
【請求項４】
前記制御手段は、前記第１の状態で前記所定のアイテムへの操作を検知したことに応じて、前記第１の状態から前記第２の状態へ遷移し、
前記表示制御手段は、前記第１の状態から前記第２の状態に遷移したときに、前記所定のアイテムの表示位置を変更しないことを特徴とする請求項１乃至３のいずれか１項に記載の電子機器。
【請求項５】
前記制御手段は、前記第２の状態で前記所定のアイテムへの操作を検知したことに応じて、前記第２の状態を終了するように制御することを特徴とする請求項１乃至４のいずれか１項に記載の電子機器。
【請求項６】
前記制御手段は、前記第１の状態で前記所定のアイテムへの操作を検知したことに応じて、前記第１の状態から前記第２の状態へ遷移するように制御し、前記第２の状態で前記所定のアイテムへの操作を検知したことに応じて、前記第２の状態を終了するように制御することを特徴とする請求項１乃至５のいずれか１項に記載の電子機器。
【請求項７】
前記第１の状態では、第２の表示アイテムが前記表示画面に表示され、当該第２の表示アイテムの表示位置を前記表示画面への操作に応じて変更することが可能であり、
前記表示制御手段は、前記第１の状態に遷移したときに、前記第２の表示アイテムの表示位置に対応する位置に前記所定のアイテムの表示位置を表示するように制御することを特徴とする請求項１乃至６のいずれか１項に記載の電子機器。
【請求項８】
前記表示制御手段は、前記第１の状態において前記第２の表示アイテムの表示位置を第１の方向に変更する場合には、前記第２の表示アイテムの表示位置に応じて、前記所定のアイテムの表示位置を変更するように制御し、前記第１の状態において前記第２の表示アイテムの表示位置を前記第１の方向と直交する第２の方向に変更する場合には、前記第２の表示アイテムの表示位置に応じた前記所定のアイテムの表示位置の変更を行わないように制御することを特徴とする請求項７に記載の電子機器。
【請求項９】
前記表示制御手段は、前記第１の状態においても、前記第１の表示アイテムを表示するように制御し、
前記第１の状態においては、前記表示画面への操作に応じた前記第１の表示アイテムの表示位置の変更は行わないことを特徴とする請求項１乃至８のいずれか１項に記載の電子機器。
【請求項１０】
前記第１の表示アイテムは、前記表示画面への操作に応じて、前記所定のアイテムが表示される位置に、表示位置を変更可能であることを特徴とする請求項１乃至８のいずれか１項に記載の電子機器。
【請求項１１】
前記表示制御手段は、撮像手段により撮影されたライブ画像と共に前記第１の表示アイテムを表示し、
前記第１の表示アイテムは、ＡＦ位置を示すＡＦ枠であることを特徴とする請求項１乃至１０のいずれか１項に記載の電子機器。
【請求項１２】
前記第２の表示アイテムは、ぼかし効果を施す領域を指定するための枠であることを特徴とする請求項７乃至１１のいずれか１項に記載の電子機器。
【請求項１３】
撮像手段により撮影された画像において、前記第２の表示アイテムで指定された領域外にぼかし効果を施すジオラマ処理手段を有することを特徴とする請求項１２に記載の電子機器。
【請求項１４】
前記第１の状態において、前記第２の表示アイテムは、前記表示画面への操作に応じて、前記所定のアイテムが表示される位置に、表示位置を変更可能であることを特徴とする請求項７乃至１３のいずれか１項に記載の電子機器。
【請求項１５】
前記検知手段は、前記表示画面へのタッチ操作を検知するタッチパネルであることを特徴とする請求項１乃至１４のいずれか１項に記載の電子機器。
【請求項１６】
表示画面への操作を検知する検知手段を有する電子機器の制御方法であって、
第１の表示アイテムと、所定のアイテムとを、前記表示画面に表示するように制御し、
第１の状態において前記表示画面への操作を検知したことに応じて、前記第１の状態から前記第１の表示アイテムの表示位置を変更するための第２の状態に遷移するように制御し、
前記第１の状態から前記第２の状態に遷移したときには、前記第１の表示アイテムの表示位置に関わらず前記所定のアイテムを表示するように制御し、
前記第２の状態において前記第１の表示アイテムの表示位置を変更するための操作があった場合には、前記変更された前記第１の表示アイテムの表示位置に応じた位置に、前記所定のアイテムを表示するように制御することを特徴とする電子機器の制御方法。
【請求項１７】
コンピュータを、請求項１乃至１５のいずれか１項に記載された電子機器の各手段として機能させるためのプログラム。
【請求項１８】
コンピュータを、請求項１乃至１５のいずれか１項に記載された電子機器の各手段として機能させるためのプログラムを格納したコンピュータが読み取り可能な記録媒体。
【手続補正２】
【補正対象書類名】明細書
【補正対象項目名】０００５
【補正方法】変更
【補正の内容】
【０００５】
本発明の電子機器は、表示画面への操作を検知する検知手段と、第１の表示アイテムと、所定のアイテムとを、前記表示画面に表示するように制御する表示制御手段と、第１の状態における前記表示画面への操作に応じて、前記第１の状態から前記第１の表示アイテムの表示位置を変更するための第２の状態に遷移するように制御する制御手段と、を有し、前記表示制御手段は、前記第１の状態から前記第２の状態に遷移したときには、前記第１の表示アイテムの表示位置に関わらず前記所定のアイテムを表示するように制御し、前記第２の状態において前記第１の表示アイテムの表示位置を変更するための操作があった場合には、前記変更された前記第１の表示アイテムの表示位置に応じた位置に、前記所定のアイテムを表示するように制御することを特徴とする。